(57)【要約】本発明による連結装置は管状取付部材（３０５）から構成され、該管状取付部材には軸方向に延長する雄型連結部材が形成され、該雄型連結部材には管状取付部材における軸方向の開口部の内心部から延長し外接触面に向かって開口する通路が形成された雄型接触面（３６１）が形成されてなる。切削工具（３５０,３５５）には管状取付部材を収容するための軸方向のソケット部が形成され、該ソケット部内には管状取付部材がソケット部に挿入される際に管状取付部材における雄型接触面と受容的且つ補足的に対面するように形成された雌型接触面（３６０）が形成され、該雌型接触面には切削工具と管状取付部材が結合接触面を相互に補足的に対面して嵌合されると上記通路と連通する連通孔（３７０）が形成されてなる。管状主軸部材は、上記切削工具（３５０、３５５）が保持される端部から延長し軸方向に細長く形成された半径方向に超弾性的に変形する舌片（３３６）を少なくとも１つ有し、該舌片は通路に到るまで管状主軸部材に挿入される際に舌片（３３６）の半径方向反対の変形によって生じる超弾性の半径方向バイアスによって、切削工具を管状主軸部材に固定的に接続するために、通路を介して連通孔に達するまで突出する。
2005507302.tif 000002
【特許請求の範囲】
【請求項１】
ａ）軸状部材からなるものであって、軸方向に延長すると共に外表面に外接触面を有する雄型連結部と、軸方向に開口した開口部と、この開口部を半径方向に直交して形成された開口部の内心部から上記外接触面に開口する通路とからなる管状取付部材と、
ｂ）上記管状取付部材を収容するために軸方向にソケット部を形成し、該ソケット部に上記管状取付部材が挿入される際に上記外接触面と受容的且つ補足的に対面する該ソケット部の内面に内接触面を形成し、これら各内外接触面が対面する際に上記通路と連通する連通路を内接触面に形成してなる切削工具と、
ｃ）管状部材からなるものであって、この管状部材の端部に延長して形成された舌片を有し、該舌片は上記通路を介して連通路から突出するよう軸方向に細長く形成され半径方向に変曲可能とし、上記舌片が上記管状取付部材に上記通路に到るまで挿入されると半径方向反対に変形することにより超弾性の半径方向の変形が生じ、この結果として上記切削工具を強固に固定する管状主軸部材と、
からなることを特徴とする回転式の切削工具を管状駆動部に軸接続するための連結装置。
【請求項２】
ａ）軸状部材からなるものであって、この軸状部材の軸方向に開口した開口部と、軸方向に延長すると共に本体部に凹部状に形成されたネック部を介して接続された球状の先端部が形成されたジグソーパズル状の雄型連結部とを有し、
上記球状の先端部は凸部状に、上記ネック部は凹部状にそれぞれ形成されることで球状の先端部とネック部の外表面は連続的に湾曲する外接触面を形成し、上記開口部の内心部からネック部へ延長し連続的に湾曲する接触面における凹部に開口する半径方向の通路を形成してなる管状取付部材と、
ｂ）環状の基底部及び軸方向に延長する半径方向に変形する保持部を備えた鍔状の接続具と、
ｃ）軸方向の開口部と、該開口部内に形成されたジグソーパズルの形状をした軸方向のソケット部と、該ソケット部内に形成された連続的に湾曲する内接触面と、該内接触面に形成された半径方向の連通路とを有し、
上記開口部は上記接続具の保持部を収容すると共に駆動主軸部材に対して半径方向に変形するよう形成され、上記内接触面は上記管状取付部材を挿入する際に該管状取付部材における連続的に湾曲する外接触面と受容的且つ補足的に接触するよう上記ソケット部の凹部に形成され、上記連通路は上記管状取付部材における外接触面と相互に補足的に対面する際に半径方向の上記通路と連通するように連続的に湾曲する上記内接触面の凹部に形成されてなり、上記保持部によって駆動主軸部材が半径方向内向きに変形されることにより管状駆動部材において保持部に対する超弾性の半径方向外向きの変形が生じ、この結果として上記接続具を駆動主軸部材に固定する切削工具と、
ｄ）管状部材からなるものであって、この管状部材の端部に延長して形成された舌片を有し、該舌片は上記半径方向の通路を介して半径方向の連通路から突出するよう軸方向に細長く形成され半径方向に変曲可能とし、該舌片が上記管状取付部材に上記通路に到るまで挿入されると半径方向反対に変形することにより超弾性の半径方向の変形が生じ、この結果として上記切削工具を強固に固定する回転式の駆動主軸部材と、
からなることを特徴とする回転式の切削工具を回転式の駆動主軸部材に軸接続するための連結装置。
【請求項３】
ａ）軸状部材からなるものであって、軸方向に延長すると共に外表面に外接触面を有する雄型連結部からなる管状取付部材と、
ｂ）上記管状取付部材を収容するための軸方向に形成されたソケット部と、該ソケット部内に形成された内接触面と、該内接触面に形成された軸方向の環状の連通路とを有し、
上記内接触面は上記管状取付部材がソケット部に挿入される際に上記外接触面と受容的且つ補足的に対面するよう形成されてなる切削工具と、
ｃ）管状部材からなるものであって、この管状部材の端部から上記連通路に到るまで延長し軸方向に細長く形成された半径方向に変曲可能な舌片を有し、該舌片が上記管状取付部材に上記連通路に到るまで挿入されると半径方向反対に変形することにより超弾性の半径方向の変形が生じ、この結果として上記切削工具を固定的に保持する管状主軸部材と、
からなることを特徴とする回転式の切削工具を管状駆動部材に軸接続するための連結装置。
【請求項４】
ａ）軸状部材からなるものであって、軸方向に延長するジグソーパズル状に形成された雄型連結部と、該雄型連結部の本体部に凹部状に形成されたネック部を介して接続された球状の先端部とを有し、
上記球状の先端部は凸部に、上記ネック部は凹部にそれぞれ形成されることでネック部と球状の先端部の外側面は連続的に湾曲する外接触面を形成してなる管状取付部材と、
ｂ）環状の基底部及び軸方向に延長する半径方向に変形可能な保持部を備えた鍔状の接続具と、
ｃ）軸方向の開口部と、該開口部の内部に形成されたジグソーパズルの形状をした軸方向のソケット部と、該ソケット部内に形成された連続的に湾曲する内接触面と、環状の連通路とを有し、
上記開口部は上記接続部の保持部を収容すると共に下記の駆動主軸部材に対して保持部を変形するよう形成され、上記内接触面は上記管状取付部材を挿入する際に該管状取付部材における連続的に湾曲する外接触面と受容的且つ補足的に接触するよう形成されてなり、上記保持部によって駆動主軸部材が半径方向内向きに変形されることにより駆動主軸部材における保持部に対する超弾性の半径方向外向きの変形が生じ、この結果として上記接続具を駆動主軸部材に保持する切削工具と、
ｄ）管状部材からなるものであって、管状部材の端部から上記環状の連通路へ延長し軸方向に細長く形成された半径方向に変曲可能な舌片を有し、該舌片が上記管状取付部材に上記連通路に到るまで挿入されると半径方向反対に変形することにより超弾性の半径方向の変形が生じ、この結果として上記切削工具を固定的に保持する回転式の駆動主軸部材と、
からなることを特徴とする回転式の切削工具を回転式の駆動主軸部材に軸接続するための連結装置。
【発明の詳細な説明】
【技術分野】
【０００１】
本発明は概ね、切削工具と超弾性で変形可能な管状駆動軸との接続装置に関し、特に外科的環境において外科用切削工具を超弾性で変形可能な、好ましくはニッケル・チタン合金からなる管状駆動軸に取付けるための、素早い着脱が可能な長期耐用機器に重点的に関する。
【背景技術】
【０００２】
特に外科的使用における回転式管状駆動部及び切削工具のための連結装置は、米国特許登録第５，２０３，５９５号において開示される連結装置から周知である。前記連結装置は、適度な商業的成功を収めたと言える。しかし上記装置には欠点がある。具体的に説明すると、外科的環境において器具を殺菌することは完全なる義務である。無菌の環境を保証するということは、患者の体内においてまたは患部に近接して用いられる器具の全ては無菌でなければならない。このような無菌状態を保証するために、１つ１つの手術工程の後にそれぞれの器具には加圧滅菌処理が施される。
【０００３】
例えばポリプロピレンや上記特許第５，２０３，５９５号の第４列、５３行目に記載されているようなその他の適した素材は、加圧滅菌処理やそれに伴う高い温度及び湿度によってもろくなり、連結装置が磨耗するより更に早く故障しやすくなる。
【０００４】
更に、上記特許第５，２０３，５９５号において見られるように熱可塑性物質に無理な挿入動作が行われると、柔軟なポリプロピレン素材の急激な劣化につながる。また、上記特許のように主要な接合部品をスライド式に挿入して嵌合を行う方法は、熱可塑性素材を連続的に磨耗させる。
【発明の開示】
【発明が解決しようとする課題】
【０００５】
従って、外科的環境における管状駆動装置のための繰り返し使用することが可能な信頼性の高い接続具がいまだ求められている。接続具の使用できる寿命を延ばすことは、急激な増加傾向にある手術に要する費用を抑えるために非常に望ましい。
【課題を解決するための手段】
【０００６】
このための１つの態様として、本発明は回転式の切削工具を管状駆動部に同軸上に接続するための連結装置を提案する。前記装置には管状取付部材が形成され、該管状取付部材には軸方向に延長する雄型の部品が備わり、該雄型の部品には第１接触面が備わり、該第１接触面には上記管状取付部材の軸方向に開口する開口部の内心部から上記第１接触面に到るまで延長する通路が形成される。切削工具には上記管状取付部材を収めるためのソケット部が軸方向に形成され、上記管状取付部材を該ソケット部に軸方向に挿入する際に管状取付部材における第１接触面と軸方向に受容的且つ補足的に対面し、管状取付部における第１接触面に好ましい接触を行うように形成された第２接触面を該ソケット部内に形成してなる。第２接触面には連通路が形成され、第１及び第２の各接触面が補足的に対面し好ましく相互に接触するように切削工具及び管状主軸部材が嵌合されると上記管状取付部の通路と連通する。管状主軸部材は、上記切削工具が取付けられた方の端部から軸方向に延長し半径方向に変形可能な舌片を少なくとも１つ有する。該舌片は、上記通路に嵌合するよう管状主軸部材に挿入される際に半径方向反対に内向きの変形が生じ、舌片の超弾性の半径方向バイアスが誘発されることによって、舌片は半径方向外向きに上記通路を介して連通路に到るまで突出し、上記切削工具を管状主軸部材に強固に接続する。
【０００７】
また別の態様の、本発明は回転式の切削工具を同軸上の回転式の駆動軸に接続するための連結機装置を提供する。該連結装置は装置自身から軸方向に延長するジグソーパズルの形状をした部品を形成してなる管状取付部材を有する。ジグソーパズルの形状をした部品は、管状取付部材における本体部にネック部によって接続された球状の先端部を含んでなる。ネック部及び球状の先端部の外側表面は、球状部は凸部に、ネック部は凹部にそれぞれ形成されることで連続的に湾曲する第１接触面を共に形成する。半径方向に直交する通路は、管状取付部材において軸方向に開口する中心部の内心部からネック部を通って延長し、連続的に湾曲する第１接触面における凹部に開口する。
【０００８】
上記の装置は好ましくは環状の基底部と装置自身から軸方向に延長する半径方向に変形可能な保持部を有する鍔状の接続具を含んでなる。
【０００９】
切削工具は、上記保持部を収容し該保持部を駆動主軸部材に対して半径方向に変形するように形成された軸方向の開口部を有し、保持部に対する駆動軸の超弾性の半径方向外向きに作用するバイアスによって、保持部が備わった接続具を駆動主軸部材に保持する。このような駆動主軸部材の外向きバイアスは、保持部による駆動主軸部材の半径方向内向きの変形によって誘発され、駆動主軸部材の物質が保持部に屈曲されることによって相変化を起こした結果として生じる。
【００１０】
更に上記切削工具は、軸方向にジグソーパズル状に形成されたソケット部を備え、連続的に湾曲する第２接触面を上記開口部内に形成してなる。該第２接触面の表面は、上記管状取付部材がソケット部に軸方向に挿入される際に該管状取付部材における連続的に湾曲する第１接触面と受容的且つ補足的に対面するように形成される。連続的に湾曲する第２接触面の凸部には半径方向に直交する連通路が形成され、該連通路は各接触面が補足的に対面し好ましくは相互に接触するように切削工具及び管状主軸部材が嵌合されると上記管状取付部の通路と連通する。
【００１１】
回転式の駆動主軸部材は、上記切削工具が接続される方の端部から延長する軸方向に細長く形成され、半径方向に超弾性的に変形する舌片を少なくとも１つ有する。該舌片は、通路に達するまで管状主軸部材に挿入されると、舌片の半径方向反対に内向きの変形によって誘発される反応性で超弾性な半径方向外向きのバイアスによって、上記切削工具を回転式の駆動主軸部材に固定的に接続するために、半径方向に直交する通路を介して半径方向の連通路に達するまで外向きに突出する。
【００１２】
また別の態様において、本発明は回転式の切削工具を管状駆動部に同軸方向に接続するための連結装置を提案する。該連結装置は雄型連結部が軸方向に延長してなる管状取付部材を有し、該雄型部には第１接触面が形成されてなる。切削工具は、その内部に管状取付部材を収容する軸方向のソケット部を有し、該ソケット部内には第２接触面を形成し、該第２接触面は上記管状取付部材がソケット部に挿入される際に該管状取付部材における第１接触面と受容的且つ補足的に対面し、好ましい接触を行うように形成される。第２接触面には、環状の半径方向に直交する連通路が形成される。管状主軸部材は、上記切削工具が保持される方の端部から延長し、軸方向に細長く形成された半径方向に超弾性的に変形する舌片を少なくとも１つ有する。該舌片は、環状の連通路に達するまで管状取付部材に挿入されると、舌片の半径方向反対の変形によって誘発される超弾性の半径方向バイアスによって切削工具を管状主軸部材に固定的に接続するために、半径方向の通路を介して環状の連通路に達するまで突出する。
【００１３】
また更に別の態様において、本発明は回転式の切削工具を同軸上の回転式の駆動主軸部材に接続するための連結装置を提供する。該連結装置は装置自身から軸方向に延長するジグソーパズル状に形成された部品を備える管状取付部材を有する。ジグソーパズル状に形成された部品は、管状取付部材における本体部にネック部によって接続された球状の先端部を含んでなる。該ネック部及び球状の先端部の外表面は、球状部は凸部に、ネック部は凹部にそれぞれ形成され、連続的に湾曲する雄型接触面を共に形成する。
【００１４】
上記装置は、好ましくは環状の基底部と、装置自身から軸方向に延長する半径方向に変形可能な保持部とを有する鍔状の接続具を含んでなる。
【００１５】
切削工具は、上記保持部を収容し該保持部を駆動主軸部材に対して半径方向に変形するように形成された軸方向の開口部を有し、保持部に対する駆動軸の超弾性の半径方向外向きに作用するバイアスが結果として生じることによって、保持部が備わった接続具を駆動主軸部材に接続する。このような駆動主軸部材の外向きバイアスは、上記保持部によって駆動主軸部材が半径方向内向きに変形されることで誘発され、駆動主軸部材の物質が保持部に変形されることによって相変化を起こした結果として生じる。
【００１６】
更に切削工具は、軸方向のジグソーパズルのような形状をしたソケット部を含んでなり、連続的に湾曲する第２接触面を上記開口部内に形成してなる。該第２接触面の表面は、上記管状取付部材がソケット部に軸方向に挿入される際に該管状取付部材における連続的に湾曲する第１接触面と受容的且つ補足的に対面し、好ましい接触を行うように形成される。連続的に湾曲する上記第２接触面の凸部には、環状の半径方向の連通路が形成される。
【００１７】
回転式の駆動主軸部材は、上記切削工具が保持される方の端部から延長し、軸方向に細長く形成され半径方向に超弾性的に変形する舌片を少なくとも１つ有する。該舌片は、通路に向かって管状主軸部材に挿入されると、舌片が半径方向反対に内向きに変形されることで誘発される反応性で超弾性な半径方向外向きのバイアスによって切削工具を回転式の駆動主軸部材に固定的に接続するために、半径方向の上記通路を介して半径方向の上記連通路に達するまで外向きに突出する。
【発明の効果】
【００１８】
本発明における連結装置は、超弾性部材において結果的に生じる応力及び変形が好ましくは常に超弾性作用によってもたらされるように設計される。この結果、本発明の連結装置において疲労や磨耗の問題はなくなる。更に付け加えると、本発明における使用に好ましいとされるニッケル・チタンの超弾性合金は非常に硬く、本発明において一般的に用いられる類の手術用切削工具が製造されるステンレスよりもはるかに硬い。従って、使用によって磨耗する切削工具は超弾性合金の部品と接触した場合には更に磨耗が進行するが、一方で超弾性部品はステンレスよりも硬いため、そのような接触においても磨耗することはない。この結果、本発明による連結装置はほぼ永遠的な使用寿命を持つと言える。
【発明を実施するための最良の形態】
【００１９】
本発明は、超弾性合金、特に超弾性ニッケル・チタン合金などは、２つの部材が望ましい接続形態で組み立てられると第２部材によって超弾性部材が変形されることで応力が生じ、合金部材の内部において内部応力が生じることによって、必要とされる超弾性またはスナップ動作などの戻り止めの性質が生まれ物質の相変化及び超弾力性につながるため、取り外しが素早く行えて使用耐性の長い戻り止め作用を有する連結装置の製造に効果的に用いることができるという発明者の発見に基づく。
【００２０】
全体的な図面を参照に、特に本発明の装置態様の好適な実施案による素早い着脱が可能な切削工具を備えた管状の駆動軸の分解図である図１を参照にして、駆動軸組立体は概ね３１３にて示され、好ましくは適した超弾性のニッケル・チタン合金、特に好ましくは商標ニチノールとして識別された種類の物から製造された軸方向に細長く形成された中空の管状の主軸部材３０５を含んでなる。管状主軸部材３０５の一方の端部には溝部または切込み部３３５が施されてなり、該切込み部はニチノール合金の応力による相変化及びその結果として生じる超弾力性の特性により、適切な応力が加わると半径方向に超弾性的に変形可能な、好適には軸方向に延長する２つの舌片３３６を形成する。
【００２１】
駆動軸組立体３１３は、接続具３２０の環状の基底部から延長し、軸方向に細長く形成された保持部３２５を含む環状に形成された接続具３２０を有する。保持部３２５は、半径方向内向きに力が加わると半径方向にたわむかまたは変形するような適切な柔軟性のある素材、好ましくはステンレスから製造されることとする。環状の基底部を有する接続具３２０の大きさは、主軸部３０５を比較的きつく保持しながらもスライド式で嵌合ができるように収容できるように形成されている。
【００２２】
手術中においては、以下に更に詳細に説明されるように、管状の主軸部材３０５は接続具３２０を介して主軸部材３０５が部分的に接続された手術用取付具を回転式に駆動するために回転される。
【００２３】
管状主軸部材３０５の舌片３３６が形成された端の反対の端部には、半径方向に変形する保持部３２５及び管状の基底部からなる第２接続具が配置され、この接続具はその中に管状軸部３０５の端部を収める。
【００２４】
動力駆動取付部３２１は、外的な動力源から軸部３０５にトルクを伝達するために備えられる。上記動力駆動取付部３２１は、保持部３２５によって主軸部３０５に加えられた半径方向内向きの力の反作用として、主軸部３０５が保持具３２５に対して半径方向外向きの超弾性相変化による変形が生じることで主軸部３０５を把持する。保持部３２５は、動力駆動取付具３２１に接続する変形可能な接続具３２０の基底部から延長し、これらの部品は図１、２及び４における溶接線３１２に沿って好適には溶接されるか、そうでなければ接着される。
【００２５】
引き続き図１を参照として、トルクを主軸部３０５から、図１において３５０、３５５としてそれぞれ示される小さい切削工具または大きい切削工具のいずれかの駆動された切削工具に伝達するための器具駆動取付部が３１０として概ね開示されている。この観点から、異なる大きさの及び／またはそれぞれの補足部材としての部品一式またはその他の様々な切削工具の提供も、本発明の要素の１つとして考慮される。器具駆動取付部３１０は、好ましくは概ね円柱に形成され、望ましい全ての場合において連続的に湾曲する円周を有する外表面を形成してなり、代案的には円錐またはその他の湾曲した形状であってもよい。器具駆動取付部３１０は、誘導ワイヤーが通過する軸方向の通路を形成するため中空な形状をしてなり、駆動軸組立体３１３は上記ワイヤーに沿って移動し、手術中の工程においてワイヤーは誘導手段として用いられる。更に器具駆動取付部３１０の中空な内部は、接続具３２０の好適には半径方向に変形する保持部３２５を収容する。誘導ワイヤーが器具駆動取付部３１０から出るよう手術に用いる誘導ワイヤーの通路を形成するため、好ましくは器具駆動取付部３１０の軸に沿って内通孔または開口部３２２が施される。
【００２６】
図１及び図３を参照に、器具駆動取付部３１０の結合する先端部は雄型切削工具接触面３６１として示され、図３を見れば明白なように器具駆動取付部３１０における球状部３７６よりも小さい断面を有するネック部３７４を介して、好ましくは円柱に形成された器具駆動取付部３１０の本体部３７６に接続された球状部３７２を好ましくは含んでなる。器具駆動取付部３１０における円柱形の本体部は３７６として図３にて開示されている。
【００２７】
球状部３７２及びネック部３７４の外表面は湾曲して形成され、球状部３７２及びネック部３７４が好ましくは相互に嵌合するジグソーパズルのピースに見られるような構造を形成するよう共に連続的に接続する。円柱状の本体部３７６は、図３で示されるように球状部３７２よりも比較的大きな断面を有する。誘導ワイヤーの通路となり、接続部３２０の半径方向に変形する保持部３２５を収容するための器具駆動取付部３１０の中心を通る開口部は、図面をより明確にするために図３においては描かれていない。
【００２８】
器具駆動取付部３１０は、ネック部３７４の湾曲した外表面と器具駆動取付部３１０内において中心を通って軸方向に延長する開口部との間を連通する連絡孔を形成するために、少なくとも１つの好ましくは半径方向に開口した通路をネック部３７４に形成してなる。この通路の一例は、図１及び図２において３６５として概ね開示されている。
【００２９】
図１及び図２における駆動軸組立体が組み立てられると、半径方向に反応性で弾性的に変形可能な舌片３３６が形成された主軸部３０５の端部は、舌片３３６の軸方向の先端部が接続部３２０の末端部分から延長するように、保持部３２５の軸方向先端部を越えて十分奥に到るまで接続具３２０内に挿入される。次に器具駆動取付部３１０は保持部３２５に被せられると、保持部３２５における弾性的に変形する通孔が半径方向内向きにニッケル・チタン合金製の主軸部３０５を押圧するによって該主軸部に応力が生じ、結果として応力発生による相変化によって超弾力性が誘発され、これによって生じる主軸部３０５による半径方向外向きに加えられる反力によって器具駆動取付部３１０を適所に保持する。管状の主軸部３０５は、舌片３３６が半径方向に開口する窓部または連通路３６５に達するまで更に深く挿入されると、取付部３１０を通過する際に働く半径方向内向きの舌片３３６の変形と、その結果として生じる主軸部３０５が製造されたニッケル・チタンの超弾性的に変形する性質の相変化及び適応によって誘発される舌片３３６の半径方向外向きバイアスまたは超弾性バネ動作によって、舌片３３６は窓部または連通路３６５に向かって半径方向外向きに効果的に固定され、該連通路から図３で示されるように半径方向にわずかに突出させる。
【００３０】
駆動軸組立体３１３において用いられる切削工具は、図１、２及び３に関連して上記に開示及び説明されているように、雄型切削工具接触面３６１が備わった器具駆動取付部３１０を有する。それぞれの切削工具３５０、３５５は、器具駆動取付部３１０における球上部３７２及びネック部３７４の外側に対面する表面と補足的且つ対面式に接触するように形成された雌型切削工具接触面３６０を備える。それぞれの雌型切削工具接触面３６０の内面には、雌型切削工具接触面３６０が器具駆動取付部３１０におけるネック部３７４及び球状部３７２の外側表面と補足的に接触する際に、半径方向に反応性に超弾性的な屈曲する舌片３３６のうち１つを収容する収納孔となる連通路３７０が形成されてなる。この場合、結果として生じる応力による舌片３３６の超弾性の半径方向バイアスによって舌片３３６がそれぞれ対応する連通路３７０と嵌合し、これによって器具駆動取付部３１０を選択された切削工具３５０または３５５と結合接触し連結接続した状態に保持する戻り止め作用が生じる。
【００３１】
選択された小さい切削工具３５０と器具駆動取付部３１０の結合及び連結した構造は図４において開示されており、駆動軸３０５及び切削工具３５０の組立体は駆動軸及び切削工具組立体３１４として示されている。
【００３２】
図５、６及び７は本発明による装置の態様に従って、寿命の長い管状駆動軸組立体の代案的な具体案を開示している。特に図５を参照すると、主軸部４０５は図１、２及び４における主軸部３０５と同じであると言える。これと同様に、半径方向に変形可能な保持部４２５と動力駆動取付部を備えた半径方向に変曲可能な接続具４２０は、全て図１、２及び４において３２０、３２５及び３２１と符号が付された対応する部品と同様の部材である。
【００３３】
引き続き図５を参照に、主軸部４０５は溝部または切込み部４３５を有し、これによって好ましくは図１、２及び４における舌片３３６と概ね対応する、応力によって半径方向に超弾性的に変形可能な１組の舌片４３６を形成してなる。
【００３４】
引き続き図５を参照に、トルクを主軸部４０５から駆動される器具へ伝達するための器具駆動取付部４１０は、好ましくは図３における球状部３７２及びネック部３７４に形成するようなジグソーパズル片状に形成された外表面を備えた雄型切削工具接触面を有する。
【００３５】
しかし、雄型切削工具接触面４６１は図１及び図２における３６５で示されるような半径方向に開口する連通路または窓部を好ましくは含まないものとする。その代わり、図５から７にて開示される代案的な具体案において、半径方向に超弾性的に反応性に変形可能な舌片４３６は好ましくは器具駆動取付部４１０から軸方向に延長し、好ましくは図５から７における装置が外科的環境において用いられる際に誘導ワイヤーが延在する中心を通る通路のための内通孔を形成する開口部を通って、器具駆動取付部４１０から突出する。
【００３６】
駆動軸組立体４１３の特に器具駆動取付部４１０と共に使用されるために適応された切削工具４５０は、雄型切削工具接触面４６１の雄型ジグソーパズル片の形状と補足的接触及びインタロッキング結合ができるように形成された雌型結合部を好ましくは有する。環状の連通路は軸方向の孔を形成することにより雌型切削工具接触面４６０内に形成される。この軸方向の孔部は図３におけるネック部３７４に対応する雄型切削工具接触面４６１におけるネック部の断面の最小寸法よりわずかに小さい円周を有することとする。この結果、小さい切削工具の接触面４６０における軸方向の孔部は戻り止め作用のための環状の溝部を形成し、これによって概ね図６で開示され詳細には図７で示されるように、小さい切削工具４５０が器具駆動取付部４１０上に接続されると軸方向に延長し半径方向に超弾性的且つ反応性に変形する舌片４３６は半径方向内向きに変形し、これによって半径方向外向きにバネ作用が生じ、半径方向内向きの変形から生じる超弾性の性質によって、図７で開示されるように軸方向の孔部における環状の表面と接触することで、小さい切削工具の接触面４６０における軸方向の孔部は戻り止め作用のための環状の溝部となり、小さい切削工具４５０を器具駆動取付部４１０と結合嵌合の状態で保持する。
【００３７】
本件にて説明を付した本発明の具体案において、様々な応用や改良を施すことも可能である。本件では、本発明による特定の例示的な具体案が開示及び説明されているが、幅広い改良、変更及び代用は前述の開示において考慮される。場合によっては、本発明における特徴はそれと対応するその他の特徴を用いることなく援用されることも可能である。従って、本発明の精神と範囲は添付された請求項のみによって制限され、上記の開示はほんの一例として説明を付したに過ぎず、広い意味で考慮されるものであることを理解されたい。
【図面の簡単な説明】
【００３８】
【図１】本発明の機器態様における好ましい具体案に従って異なる大きさの２つ切削工具がそれぞれすぐに駆動軸組立体に取付けられる状態で示された、素早い接続が可能な切削工具と共に使用される長期使用が可能な管状の駆動軸組立体の分解斜視図である。
【図２】駆動軸組立体に切削工具が接続されていない状態の、図１における管状の駆動軸組立体の組み立てられた状態における斜視図である。
【図３】図２において点線で描かれた円３によって示された、図１及び図２にて開示された管状の駆動軸組立体における雄型駆動取付部の側面図である。
【図４】切削工具が駆動軸組立体に接続された状態の、図１及び図２における駆動軸組立体の斜視図である。
【図５】本発明における機器態様における代案となる具体案に従って、切削工具が接続されてはいないがすぐに駆動軸組立体に取付けられる状態で示された、素早い接続が可能な切削工具と共に使用される長期使用が可能な管状の駆動軸組立体の分解斜視図である。
【図６】接続されてはいないが駆動軸組立体にすぐに取付けられる状態の素早い接続が可能な切削工具が示された、図５に開示された管状の駆動軸組立体の組み立てられた状態における斜視図である。
【図７】切削工具が駆動軸組立体に接続された状態の図５及び図６における管状の駆動軸組立体の斜視図である。
【符号の説明】
【００３９】
３０５  主軸部材
３１０  器具駆動取付部材
３１３  駆動軸組立体
３１４  駆動軸と切削工具の組立体
３２０  接続具
３２１  動力駆動取付部
３２２  開口部
３２５  保持部
３３５  切込み部
３３６  舌片
３５０  小切削工具
３５５  大切削工具
３６０  内接触面（雌型切削工具接触面）
３６１  外接触面（雄型切削工具接触面）
３７０  連通孔
３７２  先端部
３７４  ネック部
３７６  本体部
４０５  主軸部材
４１０  器具駆動取付部材
４１３  駆動軸組立体
４２０  接続具
４２５  保持部
４３５  切込み部
４３６  舌片
４５０  切削工具
４６０  内接触面（雌型切削工具接触面）
４６１  外接触面（雄型切削工具接触面）
【国際公開パンフレット】
2005507302.tif 000003
2005507302.tif 000004
2005507302.tif 000005
2005507302.tif 000006
2005507302.tif 000007
2005507302.tif 000008
2005507302.tif 000009
2005507302.tif 000010
2005507302.tif 000011
2005507302.tif 000012
2005507302.tif 000013
2005507302.tif 000014
2005507302.tif 000015
2005507302.tif 000016
2005507302.tif 000017
2005507302.tif 000018
2005507302.tif 000019
2005507302.tif 000020
2005507302.tif 000021
2005507302.tif 000022
【国際調査報告】
2005507302.tif 000023
2005507302.tif 000024